(57)【要約】【課題】アンチエイリアス処理が施された画像に対してディザマトリクスを用いた減色処理を施した場合のエッジの滑らかさの低下を抑制すること。【解決手段】第１抽出手段２０３は、複数の画素からエッジの候補となる画素を抽出する。第１変換手段２０４は、第１抽出手段２０３によって抽出された画素の階調値を、ａ階調の最大値である第１階調値とａ階調の最小値である第２階調値との間の値である第３階調値と比較し、第１階調値から第３階調値までの範囲内に階調値が含まれる画素の階調値を第１階調値に変換し、当該範囲内に階調値が含まれない画素の階調値を第２階調値に変換する。第２変換手段２０５は、第１変換手段２０４によって階調値が変換された第１画像データを前記ディザマトリクスを用いた減色処理によって２階調の第２画像データに変換する。【選択図】図５
2013190748.tif 000002
【特許請求の範囲】
【請求項１】
ａ階調のデータをｂ階調（ｂ＜ａ）のデータに変換する減色処理に用いられるディザ値が２次元配置されたディザマトリクスを記憶する第１記憶手段と、
２次元配置された複数の画素の各々に対応付けてａ階調の第１画像データを記憶する第２記憶手段と、
前記複数の画素からエッジの候補となる画素を抽出する第１抽出手段と、
前記第１抽出手段によって抽出された画素のうち、画像の背景に対応する第１階調値から予め定められた第２階調値までの範囲内に階調値が含まれる画素を抽出する第２抽出手段と、
前記第２抽出手段によって抽出された画素の階調値を前記第１階調値と前記第２階調値との間の値である第３階調値と比較し、前記第１階調値から前記第３階調値までの範囲内に階調値が含まれる画素の階調値を前記第１階調値に変換し、当該範囲内に階調値が含まれない画素の階調値を前記第２階調値に変換する第１変換手段と、
前記第１変換手段によって階調値が変換された前記第１画像データを前記ディザマトリクスを用いた減色処理によってｂ階調の第２画像データに変換する第２変換手段と
を有することを特徴とする制御装置。
【請求項２】
前記第２抽出手段は、ａ階調の全範囲のうち前記第１階調値からの幅がａ／（ｂ−１）以下である範囲の前記第１階調値と反対側の端点に対応する階調値を前記第２階調値として定めることを特徴とする請求項１に記載の制御装置。
【請求項３】
前記第１階調値、前記第２階調値、前記第３階調値の少なくとも１つに関連するパラメーターを入力させる入力手段と、
前記入力手段によって入力されたパラメーターに基づいて前記第１階調値、前記第２階調値、前記第３階調値の少なくとも１つを決定する決定手段と
を有することを特徴とする請求項１又は２に記載の制御装置。
【請求項４】
ａ階調（２＜ａ）のデータを２階調のデータに変換する減色処理に用いられるディザ値が２次元配置されたディザマトリクスを記憶する第１記憶手段と、
２次元配置された複数の画素の各々に対応付けてａ階調の第１画像データを記憶する第２記憶手段と、
前記複数の画素からエッジの候補となる画素を抽出する第１抽出手段と、
前記第１抽出手段によって抽出された画素の階調値を、ａ階調の最大値である第１階調値とａ階調の最小値である第２階調値との間の値である第３階調値と比較し、前記第１階調値から前記第３階調値までの範囲内に階調値が含まれる画素の階調値を前記第１階調値に変換し、当該範囲内に階調値が含まれない画素の階調値を前記第２階調値に変換する第１変換手段と、
前記第１変換手段によって階調値が変換された前記第１画像データを前記ディザマトリクスを用いた減色処理によって２階調の第２画像データに変換する第２変換手段と
を有することを特徴とする制御装置。
【請求項５】
前記第１変換手段は、ａ／２よりも画像の背景に対応する階調値に近い階調値を前記第３階調値として定めることを特徴とする請求項４に記載の制御装置。
【請求項６】
前記第３階調値に関連するパラメーターを入力させる入力手段と、
前記入力手段によって入力されたパラメーターに基づいて前記第３階調値を決定する決定手段と
を有することを特徴とする請求項４又は５に記載の制御装置。
【請求項７】
請求項１乃至６のいずれかに記載の制御装置と、
前記第２変換手段から出力された第２画像データに基づく画像を表示する表示手段と
を有することを特徴とする表示装置。
【請求項８】
請求項７に記載の表示装置を有することを特徴とする電子機器。
【請求項９】
ａ階調のデータをｂ階調（ｂ＜ａ）のデータに変換する減色処理に用いられるディザ値が２次元配置されたディザマトリクスを記憶する第１記憶手段と、２次元配置された複数の画素の各々に対応付けてａ階調の第１画像データを記憶する第２記憶手段とを有する表示装置の制御方法であって、
前記複数の画素からエッジの候補となる画素を抽出する第１抽出ステップと、
前記第１抽出ステップにおいて抽出された画素のうち、画像の背景に対応する第１階調値から予め定められた第２階調値までの範囲内に階調値が含まれる画素を抽出する第２抽出ステップと、
前記第２抽出ステップにおいて抽出された画素の階調値を前記第１階調値と前記第２階調値との間の値である第３階調値と比較し、前記第１階調値から前記第３階調値までの範囲内に階調値が含まれる画素の階調値を前記第１階調値に変換し、当該範囲内に階調値が含まれない画素の階調値を前記第２階調値に変換する第１変換ステップと、
前記第１変換ステップにおいて階調値が変換された前記第１画像データを前記ディザマトリクスを用いた減色処理によってｂ階調の第２画像データに変換する第２変換手段と
を有することを特徴とする制御方法。
【請求項１０】
ａ階調（２＜ａ）のデータを２階調のデータに変換する減色処理に用いられるディザ値が２次元配置されたディザマトリクスを記憶する第１記憶手段と、２次元配置された複数の画素の各々に対応付けてａ階調の第１画像データを記憶する第２記憶手段とを有する表示装置の制御方法であって、
前記複数の画素からエッジの候補となる画素を抽出する第１抽出ステップと、
前記第１抽出ステップにおいて抽出された画素の階調値を、ａ階調の最大値である第１階調値とａ階調の最小値である第２階調値との間の値である第３階調値と比較し、前記第１階調値から前記第３階調値までの範囲内に階調値が含まれる画素の階調値を前記第１階調値に変換し、当該範囲内に階調値が含まれない画素の階調値を前記第２階調値に変換する第１変換ステップと、
前記第１変換ステップにおいて階調値が変換された前記第１画像データを前記ディザマトリクスを用いた減色処理によって２階調の第２画像データに変換する第２変換ステップと
を有することを特徴とする制御方法。
【発明の詳細な説明】
【技術分野】
【０００１】
本発明は、画像を示すａ階調のデータをｂ階調（ｂ＜ａ）のデータに変換する減色処理に関する。
【背景技術】
【０００２】
記憶性表示装置において、高画質化の一つの手法として、ハーフトーン処理を用いる技術が知られている。例えば特許文献１には、記憶性表示装置の一種であるＥＰＤ（電気泳動ディスプレイ）において、ハーフトーン処理された画像を表示する技術が記載されている。
【先行技術文献】
【特許文献】
【０００３】
【特許文献１】特表２０１０−５１５９２６号公報
【発明の概要】
【発明が解決しようとする課題】
【０００４】
ビットマップ画像に対してアンチエイリアス処理を施すと、文字等のエッジの部分の階調が中間階調に置き換えられることにより、エッジが滑らかに見えるようになる。ところが、アンチエイリアス処理が施された画像に対してディザマトリクスを用いた減色処理を施すと、中間階調の画素が異なる階調に変換されるので、減色処理前と比べてエッジの滑らかさが低下してしまう。
これに対して本発明は、アンチエイリアス処理が施された画像に対してディザマトリクスを用いた減色処理を施した場合のエッジの滑らかさの低下を抑制する技術を提供する。
【課題を解決するための手段】
【０００５】
本発明は、ａ階調のデータをｂ階調（ｂ＜ａ）のデータに変換する減色処理に用いられるディザ値が２次元配置されたディザマトリクスを記憶する第１記憶手段と、２次元配置された複数の画素の各々に対応付けてａ階調の第１画像データを記憶する第２記憶手段と、前記複数の画素からエッジの候補となる画素を抽出する第１抽出手段と、前記第１抽出手段によって抽出された画素のうち、画像の背景に対応する第１階調値と予め定められた第２階調値とを両端とする範囲内に階調値が含まれる画素を抽出する第２抽出手段と、前記第２抽出手段によって抽出された画素の階調値を前記第１階調値と前記第２階調値との間の値である第３階調値と比較し、前記第１階調値と前記第３階調値とを両端とする範囲内に階調値が含まれる画素の階調値を前記第１階調値に変換し、当該範囲内に階調値が含まれない画素の階調値を前記第２階調値に変換する第１変換手段と、前記第１変換手段によって階調値が変換された前記第１画像データを前記ディザマトリクスを用いた減色処理によってｂ階調の第２画像データに変換する第２変換手段とを有することを特徴とする制御装置を提供する。
この構成によれば、エッジの候補となる画素のうち、中間階調の画素の階調値が第１階調値から第３階調値までの範囲に含まれる場合には、当該階調値が背景に対応する第１階調値に変換され、当該階調値が当該範囲に含まれない場合には、当該階調値が第２階調値に変換されるから、アンチエイリアス処理が施された画像に対してディザマトリクスを用いた減色処理を施した場合のエッジの滑らかさの低下を抑制することができる。
【０００６】
上記の制御装置において、前記第２抽出手段は、ａ階調の全範囲のうち前記第１階調値からの幅がａ／（ｂ−１）以下である範囲の前記第１階調値と反対側の端点に対応する階調値を前記第２階調値として定めるようにしてもよい。
この構成によれば、前記範囲を、ａ階調の全範囲のうち前記第１階調値からの幅がａ／（ｂ−１）よりも広い範囲とした場合と比べて、第１階調値に変換される画素の割合が減るので、文字や線画などが細くなり過ぎたり、かすれたりする不具合を抑制することができる。
【０００７】
上記の制御装置において、前記第１階調値、前記第２階調値、前記第３階調値の少なくとも１つに関連するパラメーターを入力させる入力手段と、前記入力手段によって入力されたパラメーターに基づいて前記第１階調値、前記第２階調値、前記第３階調値の少なくとも１つを決定する決定手段とを有するようにしてもよい。
この構成によれば、パラメーターを入力するだけで第１階調値、第２階調値、第３階調値の少なくとも１つが決定されるので、文字や線画の太さを容易に調整することができる。
【０００８】
また、本発明は、ａ階調（２＜ａ）のデータを２階調のデータに変換する減色処理に用いられるディザ値が２次元配置されたディザマトリクスを記憶する第１記憶手段と、２次元配置された複数の画素の各々に対応付けてａ階調の第１画像データを記憶する第２記憶手段と、前記複数の画素からエッジの候補となる画素を抽出する第１抽出手段と、前記第１抽出手段によって抽出された画素の階調値を、ａ階調の最大値である第１階調値とａ階調の最小値である第２階調値との間の値である第３階調値と比較し、前記第１階調値と前記第３階調値とを両端とする範囲内に階調値が含まれる画素の階調値を前記第１階調値に変換し、当該範囲内に階調値が含まれない画素の階調値を前記第２階調値に変換する第１変換手段と、前記第１変換手段によって階調値が変換された前記第１画像データを前記ディザマトリクスを用いた減色処理によって２階調の第２画像データに変換する第２変換手段とを有することを特徴とする制御装置を提供する。
この構成によれば、エッジの候補となる画素のうち、中間階調の画素の階調値が第１階調値から第３階調値までの範囲に含まれる場合には、当該階調値が背景に対応する第１階調値に変換され、当該階調値が当該範囲に含まれない場合には、当該階調値が第２階調値に変換されるから、アンチエイリアス処理が施された画像に対してディザマトリクスを用いた減色処理を施した場合のエッジの滑らかさの低下を抑制することができる。
【０００９】
上記の制御装置において、前記第１変換手段は、ａ／２よりも画像の背景に対応する階調値に近い階調値を前記第３階調値として定めるようにしてもよい。
この構成によれば、ａ／２よりも画像の背景に対応する階調値から離れた階調値を前記第３階調値として定める場合と比べて、第１階調値に変換される画素の割合が減るので、文字や線画などが細くなり過ぎたり、かすれたりする不具合を抑制することができる。
【００１０】
上記の制御装置において、前記第３階調値に関連するパラメーターを入力させる入力手段と、前記入力手段によって入力されたパラメーターに基づいて前記第３階調値を決定する決定手段とを有するようにしてもよい。
この構成によれば、パラメーターを入力するだけで第３階調値が決定されるので、文字や線画の太さを容易に調整することができる。
【００１１】
また、本発明は、上記の制御装置と、前記第２変換手段から出力された第２画像データに基づく画像を表示する表示手段とを有することを特徴とする表示装置を提供する。
この構成によれば、エッジの候補となる画素のうち、中間階調の画素の階調値が第１階調値から第３階調値までの範囲に含まれる場合には、当該階調値が背景に対応する第１階調値に変換され、当該階調値が当該範囲に含まれない場合には、当該階調値が第２階調値に変換されるから、アンチエイリアス処理が施された画像に対してディザマトリクスを用いた減色処理を施した場合のエッジの滑らかさの低下を抑制することができる。
【００１２】
また、本発明は、上記の表示装置を有することを特徴とする電子機器を提供する。
この構成によれば、エッジの候補となる画素のうち、中間階調の画素の階調値が第１階調値から第３階調値までの範囲に含まれる場合には、当該階調値が背景に対応する第１階調値に変換され、当該階調値が当該範囲に含まれない場合には、当該階調値が第２階調値に変換されるから、アンチエイリアス処理が施された画像に対してディザマトリクスを用いた減色処理を施した場合のエッジの滑らかさの低下を抑制することができる。
【００１３】
また、本発明は、ａ階調のデータをｂ階調（ｂ＜ａ）のデータに変換する減色処理に用いられるディザ値が２次元配置されたディザマトリクスを記憶する第１記憶手段と、２次元配置された複数の画素の各々に対応付けてａ階調の第１画像データを記憶する第２記憶手段とを有する表示装置の制御方法であって、前記複数の画素からエッジの候補となる画素を抽出する第１抽出ステップと、前記第１抽出ステップにおいて抽出された画素のうち、画像の背景に対応する第１階調値と予め定められた第２階調値とを両端とする範囲内に階調値が含まれる画素を抽出する第２抽出ステップと、前記第２抽出ステップにおいて抽出された画素の階調値を前記第１階調値と前記第２階調値との間の値である第３階調値と比較し、前記第１階調値と前記第３階調値とを両端とする範囲内に階調値が含まれる画素の階調値を前記第１階調値に変換し、当該範囲内に階調値が含まれない画素の階調値を前記第２階調値に変換する第１変換ステップと、前記第１変換ステップにおいて階調値が変換された前記第１画像データを前記ディザマトリクスを用いた減色処理によってｂ階調の第２画像データに変換する第２変換手段とを有することを特徴とする制御方法を提供する。
この構成によれば、エッジの候補となる画素のうち、中間階調の画素の階調値が第１階調値から第３階調値までの範囲に含まれる場合には、当該階調値が背景に対応する第１階調値に変換され、当該階調値が当該範囲に含まれない場合には、当該階調値が第２階調値に変換されるから、アンチエイリアス処理が施された画像に対してディザマトリクスを用いた減色処理を施した場合のエッジの滑らかさの低下を抑制することができる。
【００１４】
また、本発明は、ａ階調（２＜ａ）のデータを２階調のデータに変換する減色処理に用いられるディザ値が２次元配置されたディザマトリクスを記憶する第１記憶手段と、２次元配置された複数の画素の各々に対応付けてａ階調の第１画像データを記憶する第２記憶手段とを有する表示装置の制御方法であって、前記複数の画素からエッジの候補となる画素を抽出する第１抽出ステップと、前記第１抽出ステップにおいて抽出された画素の階調値を、ａ階調の最大値である第１階調値とａ階調の最小値である第２階調値との間の値である第３階調値と比較し、前記第１階調値と前記第３階調値とを両端とする範囲内に階調値が含まれる画素の階調値を前記第１階調値に変換し、当該範囲内に階調値が含まれない画素の階調値を前記第２階調値に変換する第１変換ステップと、前記第１変換ステップにおいて階調値が変換された前記第１画像データを前記ディザマトリクスを用いた減色処理によって２階調の第２画像データに変換する第２変換ステップとを有することを特徴とする制御方法を提供する。
この構成によれば、エッジの候補となる画素のうち、中間階調の画素の階調値が第１階調値から第３階調値までの範囲に含まれる場合には、当該階調値が背景に対応する第１階調値に変換され、当該階調値が当該範囲に含まれない場合には、当該階調値が第２階調値に変換されるから、アンチエイリアス処理が施された画像に対してディザマトリクスを用いた減色処理を施した場合のエッジの滑らかさの低下を抑制することができる。
【図面の簡単な説明】
【００１５】
【図１】電子機器１のハードウェア構成を示すブロック図である。
【図２】表示部１０の断面構造を示す模式図である。
【図３】表示部１０の回路の構成を示す図である。
【図４】画素１４の等価回路を示す図である。
【図５】第２実施形態に係るコントローラー２０の機能構成を示す図である。
【図６】ディザマトリクスを用いた減色処理を説明する図である。
【図７】画像のエッジの部分にディザ処理が施された例を示す図である。
【図８】アンチエイリアス処理後にディザ処理が施された例を示す図である。
【図９】第１実施形態の動作を示す流れ図である。
【図１０】第１実施形態における処理の具体例を示す図である。
【図１１】第２実施形態に係るコントローラー８０の機能構成を示す図である。
【図１２】第２実施形態の動作を示す流れ図である。
【図１３】第２実施形態における処理の具体例を示す図である。
【発明を実施するための形態】
【００１６】
＜第１実施形態の構成＞
図１は、電子機器１のハードウェア構成を示すブロック図である。電子機器１は、画像を表示する表示装置である。この例で、電子機器１は、電子書籍（文書の一例）を閲覧するための装置、いわゆる電子ブックリーダーである。電子機器１は、表示部１０と、コントローラー２０と、ＣＰＵ３０と、ＶＲＡＭ４０と、ＲＡＭ５０と、記憶部６０と、入力部７０とを有する。表示部１０は、画像を表示する表示素子を含むディスプレイパネルを有する。この例で、表示素子は、電圧の印加等によりエネルギーを与えなくても表示を保持するメモリー性の表示素子として、電気泳動粒子を用いた表示素子を有する。この表示素子により、表示部１０は、モノクロ複数階調（この例では白黒２階調）の像を表示する。コントローラー２０は、表示部１０を制御する制御装置である。ＣＰＵ３０は、電子機器１の各部を制御する装置である。ＣＰＵ３０は、ＲＡＭ５０をワークエリアとして、ＲＯＭ（図示略）または記憶部６０に記憶されているプログラムを実行する。ＶＲＡＭ４０は、表示部１０に表示させる画像を示す画像データを記憶するメモリーである。ＲＡＭ５０は、データを記憶する揮発性のメモリーである。記憶部６０は、電子書籍のデータ（書籍データ）に加え、各種のデータおよびアプリケーションプログラムを記憶する記憶装置であり、ＨＤＤまたはフラッシュメモリーなど不揮発性のメモリーを有する。記憶部６０は、複数の電子書籍のデータを記憶することができる。入力部７０は、ユーザーの指示を入力するための入力装置であり、例えば、タッチスクリーン、キーパッド、またはボタンを含む。以上の要素は、バスにより接続されている。
【００１７】
図２は、表示部１０の断面構造を示す模式図である。表示部１０は、第１基板１１と、電気泳動層１２と、第２基板１３とを有する。第１基板１１および第２基板１３は、電気泳動層１２を挟持するための基板である。
【００１８】
第１基板１１は、基板１１１と、接着層１１２と、回路層１１３とを有する。基板１１１は、絶縁性及び可撓性を有する材料、例えばポリカーボネートで形成されている。基板１１１は、軽量性、可撓性、弾性及び絶縁性を有するものであれば、ポリカーボネート以外の樹脂材料により形成されてもよい。別の例で、基板１１１は、可撓性を有しないガラスにより形成されていてもよい。接着層１１２は、基板１１１と回路層１１３とを接着する層である。回路層１１３は、電気泳動層１２を駆動するための回路を有する層である。回路層１１３は、画素電極１１４を有する。
【００１９】
電気泳動層１２は、マイクロカプセル１２１と、バインダー１２２とを有する。マイクロカプセル１２１は、バインダー１２２によって固定されている。バインダー１２２としては、マイクロカプセル１２１との親和性が良好で電極との密着性が優れ、かつ絶縁性を有する材料が用いられる。マイクロカプセル１２１は、内部に分散媒および電気泳動粒子が格納されたカプセルである。マイクロカプセル１２１は、柔軟性を有する材料、例えばアラビアゴム・ゼラチン系の化合物またはウレタン系の化合物等が用いられる。なお、マイクロカプセル１２１と画素電極１１４との間には、接着剤により形成された接着層が設けられてもよい。
【００２０】
分散媒は、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、またはカルボン酸塩である。別の例で、分散媒は、その他の油類であってもよい。また、分散媒は、これらの物質が混合されたものでもよい。さらに別の例で、分散媒には、界面活性剤などが配合されてもよい。
【００２１】
電気泳動粒子は、分散媒中で電界によって移動する性質を有する粒子（高分子またはコロイド）である。本実施形態においては白の電気泳動粒子と黒の電気泳動粒子がマイクロカプセル１２１内に格納されている。黒の電気泳動粒子は、例えば、アニリンブラックやカーボンブラック等の黒色顔料を含む粒子であり、本実施形態では正に帯電されている。白の電気泳動粒子は、例えば、二酸化チタンや酸化アルミニウム等の白色顔料を含む粒子であり、本実施形態では負に帯電されている。
【００２２】
第２基板１３は、共通電極１３１と、フィルム１３２とを有する。フィルム１３２は、電気泳動層１２の封止および保護をするものである。フィルム１３２は、透明で絶縁性を有する材料、例えばポリエチレンテレフタレートにより形成される。共通電極１３１は、透明で導電性を有する材料、例えば酸化インジウムスズ（Indium Tin Oxide、ＩＴＯ）により形成される。
【００２３】
図３は、表示部１０の回路の構成を示す図である。表示部１０は、ｍ本の走査線１１５と、ｎ本のデータ線１１６と、ｍ×ｎ個の画素１４と、走査線駆動回路１６と、データ線駆動回路１７とを有する。走査線駆動回路１６およびデータ線駆動回路１７は、コントローラー２０により制御される。走査線１１５は、行方向（ｘ方向）に沿って配置されており、走査信号を伝達する。走査信号は、ｍ本の走査線１１５の中から一の走査線１１５を順次排他的に選択する信号である。データ線１１６は、列方向（ｙ方向）に沿って配置されており、データ信号を伝達する。データ信号は、各画素の階調を示す信号である。走査線１１５とデータ線１１６とは絶縁されている。画素１４は、走査線１１５およびデータ線１１６の交差に対応して設けられており、データ信号に応じた階調を示す。なお、複数の走査線１１５のうち一の走査線１１５を他と区別する必要があるときは、第１行、第２行、・・・、第ｍ行の走査線１１５という。データ線１１６についても同様である。ｍ×
ｎ個の画素１４により、表示領域１５が形成される。表示領域１５のうち、第ｉ行第ｊ列の画素１４を区別するときは、画素（ｊ，ｉ）という。階調値等、画素１４と一対一に対応するパラメーターについても同様である。
【００２４】
走査線駆動回路１６は、ｍ本の走査線１１５の中から、一の走査線１１５を順次排他的に選択するための走査信号Ｙを出力する。走査信号Ｙは、順次排他的にＨ（High）レベルとなる信号である。データ線駆動回路１７は、データ信号Ｘを出力する。データ信号Ｘは、画素の階調値に応じたデータ電圧を示す信号である。データ線駆動回路１７は、走査信号により選択されている行の画素に対応するデータ電圧を示すデータ信号を出力する。走査線駆動回路１６およびデータ線駆動回路１７は、コントローラー２０により制御される。
【００２５】
図４は、画素１４の等価回路を示す図である。画素１４は、トランジスター１４１と、容量１４２と、画素電極１１４と、電気泳動層１２と、共通電極１３１とを有する。トランジスター１４１は、画素電極１１４へのデータの書き込みを制御するスイッチング素子、例えばｎチャネルのＴＦＴ（Thin Film Transistor）である。トランジスター１４１のゲート、ソース、およびドレインはそれぞれ、走査線１１５、データ線１１６、および画素電極１１４に接続されている。Ｌ（Low）レベルの走査信号（非選択信号）がゲートに入力されているとき、トランジスター１４１のソースとドレインは絶縁する。Ｈレベルの走査信号（選択信号）がゲートに入力されると、トランジスター１４１のソースとドレインは導通し、画素電極１１４にデータ電圧が書き込まれる。また、トランジスター１４１のドレインには容量１４２も接続されている。容量１４２の他端は、電位Ｖｃｏｍの容量配線１１７に接続されている。容量１４２は、データ電圧に応じた電荷を保持する。画素電極１１４は、画素１４に一つずつ設けられており、共通電極１３１と対向している。共通電極１３１は、すべての画素１４に共通であり、共通電極用配線１１８を介して電位ＥＰｃｏｍが与えられる。電位ＥＰｃｏｍは、電位Ｖｃｏｍと同電位としてもよい。画素電極１１４と共通電極１３１との間には電気泳動層１２が挟まれている。画素電極１１４、電気泳動層１２、および共通電極１３１により、電気泳動素子１４３が形成される。電気泳動層１２には、画素電極１１４と共通電極１３１との電位差に相当する電圧が印加される。マイクロカプセル１２１において、電気泳動層１２に印加されている電圧に応じて電気泳動粒子が移動し、階調表現をする。共通電極１３１の電位ＥＰｃｏｍに対して画素電極１１４の電位が正（例えば＋１５Ｖ）である場合、負に帯電している白の電気泳動粒子が画素電極１１４側に移動し、正に帯電している黒の電気泳動粒子が共通電極１３１側に移動する。このとき第２基板１３側から表示部１０を見ると、画素が黒に見える。共通電極１３１の電位ＥＰｃｏｍに対して画素電極１１４の電位が負（例えば−１５Ｖ）である場合、正に帯電している黒の電気泳動粒子が画素電極１１４側に移動し、負に帯電している白の電気泳動粒子が共通電極１３１側に移動する。このとき、画素が白に見える。
【００２６】
なお、以下の説明においては、走査線駆動回路１６が第１行の走査線を選択してから第ｍ行の走査線の選択が終了するまでの期間を「フレーム期間」または単に「フレーム」という。各走査線１１５は、１フレームに一回ずつ選択され、各画素１４には１フレームに一回ずつデータ信号が供給される。
【００２７】
図５は、コントローラー２０の機能構成を示す図である。
第１記憶手段２０１は、ａ階調（２＜ａ）のデータを２階調のデータに変換する減色処理に用いられるディザ値が２次元配置されたディザマトリクスを記憶する。ａは、３以上の整数であればいくつでもよいが、本実施形態では、一例として、ａ＝１６とする。ディザマトリクスの具体例については、後述する。
第２記憶手段２０２は、２次元配置された複数の画素１４の各々に対応付けてａ階調の第１画像データを記憶する。本実施形態では、第１画像データの階調値は、０から１５までの整数値のいずれかであり、０が黒画素、１５が白画素すなわち背景色に対応する。
【００２８】
第１抽出手段２０３は、前記複数の画素からエッジの候補となる画素を抽出する。ここで「エッジ」とは、背景に相当する階調値以外の階調値の表示を行っている画素のうち、当該画素に隣り合う画素の少なくとも一部（又は当該画素の近傍の画素の少なくとも一部）が、背景に相当する階調値の表示となっている画素をいう。また、「エッジの候補」とは、減色処理の結果、エッジとなる可能性を有している画素を言う。エッジの候補となる画素を抽出する方法は、いかなる方法でもよい。その一例として、本実施形態では、第１画像データにおいて、対象画素の周囲８近傍（対象画素の上、下、左、右、左上、左下、右上、右下で対象画素に隣接する画素）のいずれかの画素が背景に相当する階調値（白画素）である場合に、当該対象画素をエッジの候補となる画素として抽出する。
【００２９】
第１変換手段２０４は、第１抽出手段２０３によって抽出された画素の階調値を、ａ階調の最大値である第１階調値とａ階調の最小値である第２階調値との間の値である第３階調値と比較し、第１階調値から第３階調値までの範囲内に階調値が含まれる画素の階調値を第１階調値に変換し、当該範囲内に階調値が含まれない画素の階調値を第２階調値に変換する。本実施形態では、第１階調値＝１５、第２階調値＝０である。ここで、例えば第３階調値＝８とすると、第１抽出手段２０３によって抽出された画素の階調値が８以上１５以下であるならば、当該画素の階調値が１５（白画素）に変換され、当該画素の階調値が０以上７以下であるならば、当該画素の階調値が０（黒画素）に変換される。
第２変換手段２０５は、第１変換手段２０４によって階調値が変換された第１画像データを前記ディザマトリクスを用いた減色処理によって２階調の第２画像データに変換する。
【００３０】
図６は、ディザマトリクスを用いた減色処理を説明する図である。減色処理とは、ａ階調のデータを、ｂ階調のデータ（ａおよびｂは、ａ＞ｂを満たす２以上の自然数）に変換する処理をいう。ここでは、１６階調で表現された元画像のデータを、減色処理により２階調のデータに変換する例を説明する。図６（ａ）は、元データである画像データを例示する図である。この画像は、４行4列の画素を有する。各画素の階調は１６階調（０〜１５）で表現される。ここでは、すべての画素の階調値が「８」である画像が示されている。図６（ｂ）は、ディザマトリクスを例示する図である。図６（ｂ）は、いわゆるベイヤー（Bayer）型のディザマトリクスを示している。ディザマトリクスにおいて、基本的には、階調値に相当する数値（０〜１５の１６個の数値。以下「ディザ値」という）が、ある規則に従って配置されている。なお、図６（ｂ）の例では、ディザ値「０」は使用されておらず、１〜１５の１５個の数値が用いられている。このため、中間階調に相当するディザ値「８」がディザマトリクスにおいて２回登場している。
【００３１】
ディザマトリクスを用いた２値化処理は以下のように行われる。まず、元データの階調値と、ディザマトリクスのディザ値とが加算される。加算は、対応する画素およびセルについて行われる。例えば、元データにおける第ｉ行第ｊ列の画素の階調値と、ディザマトリクスにおける第ｉ行第ｊ列のセルのディザ値とが加算される。図６（ｃ）は、両者が加算された状態を示している。次に、この加算値に対し、しきい値を基準として２値化が行われる。しきい値としては、階調数に応じた数値、この例では「１６」が用いられる。すなわち、加算値が１６未満である画素の階調値は「０」に変換され、加算値が１６以上である画素の階調値は「１」に変換される。図６（ｄ）は、２値化後の状態を示している。図６（ｄ）において、白塗りの画素（白画素）は階調値「１」に相当し、黒塗りの画素（黒画素）は階調値「０」に相当する。なお、ディザマトリクスにおいてディザ値「０」が用いられていない理由は、階調値「１５」の画素については、加算値が必ずしきい値以上となるようにするためである。仮に、階調値「１５」の画素にディザ値「０」が加算された場合を考えると、加算値は「１５」でありしきい値以上とならず、最大階調値を有する画素の階調が「０」に変換される可能性が生じてしまう。このような事態を避けるため、ディザ値「０」は用いられていない。
【００３２】
図７は、画像のエッジの部分にディザ処理が施された例を示す図である。図７（ａ）は、ディザ処理前の元画像を示す図である。図７（ｂ）は、元画像に対応する元画像データを示す図である。図７（ｃ）は、元画像データに図６（ｂ）のディザ値が加算された値を示す図である。図７（ｄ）は、ディザ処理後の画像を示す図である。このように、白画素と黒画素のいずれかで表された画像は、ディザ処理を経てもエッジの形状が変わらない。
【００３３】
図８は、アンチエイリアス処理が施された画像にディザ処理が施された例を示す図である。図８（ａ）は、図７（ａ）と同じ元画像である。
図８（ｂ）は、元画像にアンチエイリアス処理が施された場合の画像を示す図である。このように、アンチエイリアス処理によってエッジの部分の画素が中間階調に変換されるので、変換前と比べてエッジが滑らかに見えるようになる。なお、本実施形態では、アンチエイリアス処理の具体的な手法は問わない。
図８（ｃ）は、図８（ｂ）に示す画像に対応する画像データを示す図である。この例では、エッジに相当する階調値「０」または「１５」の画素の階調値が「４」、「８」、「１２」のいずれかに変換されている。
【００３４】
図８（ｄ）は、図８（ｃ）に示す画像データにディザ値が加算された後の値を示す図である。図８（ｅ）は、元画像にアンチエイリアス処理に続いてディザ処理が施された場合の画像、すなわち、図８（ｄ）に示す画素のうち、値が１６以上である画素を白画素に、値が１６未満である画素を黒画素に変換したものである。同図では、元画像において白画素であった画素（２，３）と画素（３，３）が黒画素に変換されている。このように、アンチエイリアス処理後の画像にディザ処理を施すと、エッジの滑らかさが低下するとともに、アンチエイリアス処理前の元画像よりもエッジの形状が乱れてしまうことがあり得る。
【００３５】
＜第１実施形態の動作＞
図９は、本実施形態の動作を示す流れ図である。
ステップＳ１０１において、第１抽出手段２０３は、処理の対象となる対象画素を特定する。具体的には、第１抽出手段２０３が、第２記憶手段２０２に記憶されている第１画像データを読み出し、ｉ＝１からｉ＝ｍまで、順に１行ずつ走査線を選択し、走査線毎に、ｊ＝１からｊ＝ｎまで、順に１列ずつデータ線を選択することにより、画素（ｊ,ｉ）を選択する。画素（ｊ,ｉ）が選択されたならば、当該画素が白画素、すなわち当該画素の階調値が「１５」であるか否かを判定し、当該画素が白画素でないと判定された場合に、当該画素を対象画素として特定し、ステップＳ１０２に進む。当該画素が白画素であると判定された場合には、次の画素を選択して白画素か否かの判定を行い、白画素でない画素が選択されるまで、この選択と判定を繰り返す。
【００３６】
ステップＳ１０２において、第１抽出手段２０３は、特定された対象画素がエッジの候補か否かを判定する。具体的には、第１抽出手段２０３が、対象画素の周囲８近傍のいずれかの画素が白画素である場合に、対象画素がエッジの候補であると判定する（Ｓ１０２：ＹＥＳ）。一方、対象画素がエッジの候補でないと判定された場合（Ｓ１０２：ＮＯ）には、ステップＳ１０６の処理に進む。
【００３７】
ステップＳ１０３において、第１変換手段２０４は、エッジの候補である対象画素の階調値に応じて処理内容を選択する。具体的には、第１変換手段２０４が、当該対象画素の階調値を第３階調値である８と比較し、階調値が８以上であるならば（ステップＳ１０３：ＹＥＳ）、ステップＳ１０５の処理に進む。一方、階調値が８未満であるならば（ステップＳ１０３：ＮＯ）、ステップＳ１０４の処理に進む。
【００３８】
ステップＳ１０４において、第１変換手段２０４は、対象画素の階調値を第２階調値である０（黒画素）に変換し、第１画像データにおける対象画素の階調値を上書きする。
ステップＳ１０５において、第１変換手段２０４は、対象画素の階調値を第１階調値である１５（白画素）に変換し、第１画像データにおける対象画素の階調値を上書きする。
【００３９】
ステップＳ１０６において、第２変換手段２０５は、第１画像データを、ディザマトリクスを用いた減色処理によって２階調の第２画像データに変換する。
ステップＳ１０７において、第１抽出手段２０３は、第１画像データに含まれる全画素に対して処理が完了したか否かを判定し、完了したならば（ステップＳ１０７：ＹＥＳ）、処理を終了し、一方、完了していないならば（ステップＳ１０７：ＮＯ）、ステップＳ１０１に戻り、次の対象画素を特定する。
【００４０】
図１０は、本実施形態における処理の具体例を示す図である。なお、図９の流れ図では対象画素毎にステップＳ１０２乃至Ｓ１０６の処理が順次実行されるが、ここでは、理解を容易にするために、ステップ毎に全画素に対する処理結果を示す。
図１０（ａ）は、図８（ｃ）に示す画像データに対してステップＳ１０２の処理が施された結果を示す図である。すなわち、同図では、アンチエイリアス処理が施された第１画像データから、周囲８近傍が白画素である画素が対象画素として抽出されている（斜線を施した画素）。
図１０（ｂ）は、ステップＳ１０２で抽出された対象画素に対してステップＳ１０３乃至Ｓ１０５の処理が施された結果を示す図である。すなわち、同図では、ステップＳ１０２で抽出された画素のうち、階調値が８以上である画素の階調値が１５に変換され、階調値が８未満である画素の階調値が０に変換されている。
【００４１】
図１０（ｃ）は、図１０（ｂ）に示す画像データに対してステップＳ１０６においてディザ値が加算された値である加算値を示す図である。
図１０（ｄ）は、ステップＳ１０６におけるディザ処理後の画像を示す図である。すなわち、図１０（ｃ）に示す各画素の加算値がしきい値である１６と比較され、加算値が１６以上である画素の階調値が１（白画素）に変換され、加算値が１６未満である画素の階調値が０（黒画素）に変換されている。この画像を図８（ａ）、８（ｂ）、８（ｅ）と比較すると、アンチエイリアス処理（図８（ｂ））の効果が取り除かれた分だけエッジの滑らかさは低下するものの、元画像（図（ａ））からの変化は、画素（２，３）が白画素から黒画素に変換されるに留まっており、本実施形態を適用しない場合（図８（ｅ））よりもエッジの乱れが抑制されていることがわかる。
このように、本実施形態によれば、アンチエイリアス処理が施された画像に対してディザマトリクスを用いた減色処理を施した場合のエッジの滑らかさの低下を抑制することができる。
【００４２】
＜第２実施形態の構成＞
第２実施形態のハードウェア構成は、第１実施形態と同様である。
図１１は、本実施形態に係るコントローラー８０の機能構成を示す図である。
第１記憶手段８０１は、ａ階調のデータをｂ階調（ｂ＜ａ）のデータに変換する減色処理に用いられるディザ値が２次元配置されたディザマトリクスを記憶する。ｂは、２以上の整数であればいくつでもよいが、本実施形態では、一例として、ａ＝１６、ｂ＝４とする。ディザ値は、第１実施形態と同様のものを用いる。
第２記憶手段８０２は、２次元配置された複数の画素１４の各々に対応付けてａ階調の第１画像データを記憶する。本実施形態では、第１実施形態と同様に、第１画像データの階調値は、０から１５までの整数値のいずれかであり、０が黒画素、１５が白画素すなわち背景色に対応する。
【００４３】
第１抽出手段８０３は、前記複数の画素からエッジの候補となる画素を抽出する。エッジの候補となる画素を抽出する方法は、第１実施形態と同様である。
第２抽出手段８０６は、第１抽出手段８０３によって抽出された画素のうち、画像の背景に対応する第１階調値から予め定められた第２階調値までの範囲内に階調値が含まれる画素を抽出する。具体的には、第１階調値は１５である。第２階調値は０から１４までのいずれの値でもよいが、本実施形態では、ａ階調の全範囲のうち第１階調値からの幅がａ／（ｂ−１）以下である範囲の第１階調値と反対側の端点に対応する階調値を第２階調値として定める。すなわち、ａ＝１６、ｂ＝４の場合、「０」〜「１５」の全範囲のうち「１５」からの幅が１６／３＝５．３以下である範囲の「１５」と反対側の端点に対応する「１０」を第２階調値として定める。
【００４４】
第１変換手段８０４は、第２抽出手段８０６によって抽出された画素の階調値を第１階調値と第２階調値との間の値である第３階調値と比較し、第１階調値から第３階調値までの範囲内に階調値が含まれる画素の階調値を第１階調値に変換し、当該範囲内に階調値が含まれない画素の階調値を第２階調値に変換する。本実施形態では、一例として、反射率８０％に相当する１２を第３階調値とする。この場合、第１抽出手段８０３によって抽出された画素の階調値が１２以上であるならば、当該画素の階調値が１５（白画素）に変換され、当該画素の階調値が１２未満であるならば、当該画素の階調値が０（黒画素）に変換される。
第２変換手段８０５は、第１変換手段８０４によって階調値が変換された第１画像データをディザマトリクスを用いた減色処理によってｂ階調の第２画像データに変換する。
【００４５】
＜第２実施形態の動作＞
図１２は、本実施形態の動作を示す流れ図である。
ステップＳ２０１において、第１抽出手段８０３は、処理の対象となる対象画素を特定する。特定の具体的な手順は、第１実施形態と同様である。
ステップＳ２０２において、第１抽出手段８０３は、特定された対象画素がエッジの候補か否かを判定する。判定の具体的な手順は、第１実施形態と同様である。
【００４６】
ステップＳ２０３において、第２抽出手段８０６は、対象画素の絞り込みを行う。具体的には、第２抽出手段８０６が、当該対象画素の階調値を第２階調値と比較し、階調値が１０以上であるならば（ステップＳ２０３：ＹＥＳ）、ステップＳ２０４の処理に進む。一方、階調値が１０未満であるならば（ステップＳ２０３：ＮＯ）、ステップＳ２０７の処理に進む。
ステップＳ２０４において、第１変換手段８０４は、対象画素の階調値に応じて処理内容を選択する。具体的には、第１変換手段８０４が、当該対象画素の階調値を第３階調値である１２と比較し、階調値が１２以上であるならば（ステップＳ２０４：ＹＥＳ）、ステップＳ２０６の処理に進む。一方、階調値が１２未満であるならば（ステップＳ２０４：ＮＯ）、ステップＳ２０５の処理に進む。
【００４７】
ステップＳ２０５において、第１変換手段８０４は、対象画素の階調値を第２階調値である０（黒画素）に変換し、第１画像データにおける対象画素の階調値を上書きする。
ステップＳ２０６において、第１変換手段８０４は、対象画素の階調値を第１階調値である１５（白画素）に変換し、第１画像データにおける対象画素の階調値を上書きする。
【００４８】
ステップＳ２０７において、第２変換手段８０５は、第１画像データを、ディザマトリクスを用いた減色処理によって４階調の第２画像データに変換する。
ステップＳ２０８において、第１抽出手段８０３は、第１画像データに含まれる全画素に対して処理が完了したか否かを判定し、完了したならば（ステップＳ２０８：ＹＥＳ）、処理を終了し、一方、完了していないならば（ステップＳ２０８：ＮＯ）、ステップＳ２０１に戻り、次の対象画素を特定する。
【００４９】
図１３は、本実施形態における処理の具体例を示す図である。なお、図１２の流れ図では対象画素毎にステップＳ２０２乃至Ｓ２０７の処理が順次実行されるが、ここでは、理解を容易にするために、ステップ毎に全画素に対する処理結果を示す。
図１３（ａ）は、図８（ｃ）に示す画像データに対してステップＳ２０２の処理が施された結果を示す図である。すなわち、同図では、アンチエイリアス処理が施された第１画像データから、周囲８近傍が白画素である画素が対象画素として抽出されている（斜線を施した画素）。
【００５０】
図１３（ｂ）は、ステップＳ２０２で抽出された対象画素に対してステップＳ２０３の処理が施された結果を示す図である。すなわち、同図では、ステップＳ２０２で抽出された画素のうち、階調値が１０以上である画素が抽出されている（斜線を施した画素）。
図１３（ｃ）は、ステップＳ２０３で抽出された画素に対してステップＳ２０４乃至２０６の処理が施された結果を示す図である。すなわち、ステップＳ２０３で抽出された画素の階調値が１２であるため、同図では、当該画素の階調値が１５に変換されている。
【００５１】
図１３（ｄ）は、図１３（ｃ）に示す画像データに対してステップＳ２０７においてディザ値が加算された値である加算値を示す図である。
図１３（ｅ）は、ステップＳ１０６におけるディザ処理後の画像を示す図である。本実施形態では、４階調に減色処理するので、一例として、しきい値を８、１６、２０とする。その結果、同図では、加算値が８未満の画素の階調値が０（黒画素）に変換され、加算値が８以上１６未満の画素の階調値が１（ダークグレー画素）に変換され、加算値が１６以上２０未満の画素の階調値が２（ライトグレー画素）に変換され、加算値が２０以上の画素の階調値が３（白画素）に変換されている。この画像を図８（ａ）、８（ｂ）、８（ｅ）と比較すると、元画像（図８（ａ））において黒画素であった画素（２，１）、（１，２）、（１，４）がダークグレー画素に変換されているが、黒画素とダークグレー画素が混在する領域は、視覚的には概ね黒に見えると考えられる。また、元画像において白画素であった画素（３，２）がダークグレー画素に、画素（３，３）、（２，４）がライトグレー画素に変換されているが、エッジ付近のダークグレー画素やライトグレー画素は、図８（ｂ）の比較からもわかるとおり、アンチエイリアス処理を施したのと類似した効果をもたらすものと考えられる。また、図８（ｅ）と比較すると、図１３（ｅ）は、エッジの滑らかさの点で上回ると考えられる。
このように、本実施形態によれば、アンチエイリアス処理が施された画像に対してディザマトリクスを用いた減色処理を施した場合のエッジの滑らかさの低下を抑制することができる。
【００５２】
＜変形例＞
上記の実施形態を次のように変形してもよい。また、実施形態と変形例とを組み合わせてもよい。また、複数の変形例を組み合わせてもよい。
【００５３】
＜変形例１＞
第１実施形態において、第３階調値を、第１階調値から第２階調値までの範囲の中央よりも第１階調値に近い値に設定するようにしてもよい。例えば、第１階調値が１５、第２階調値が０の場合、第３階調値を１０に設定する。この構成によれば、第３階調値を当該範囲の中央又は中央よりも第２階調値に近い値に設定した場合と比べて、第１階調値に変換される画素の割合が減るので、文字や線画などが細くなり過ぎたり、かすれたりする不具合を抑制することができる。
【００５４】
＜変形例２＞
第２実施形態において、ステップＳ２０３で階調値が第１階調値から第２階調値までの範囲に含まれないと判定された画素の階調を２階調のいずれかに変換するようにしてもよい。例えば、しきい値を５とし、階調値が５以上である画素の階調値を５に変換し、階調値が５未満である画素の階調値を０に変換するようにしてもよい。
なお、この処理を実行したとしても、４階調に減色するディザ処理により、結局、これらの画素の階調値は０、１、２のいずれかに変換されることになるので、第２実施形態との同様の効果となる。
【００５５】
＜変形例３＞
対象画素の特定においては、白画素の判定に幅を持たせてもよい。例えば、ソフトウェアによっては、２５６階調の画像データにおいて白画素を２５４といった値に設定するものもあるので、階調値の最大値が白画素であるとは限らないからである。
【００５６】
＜変形例４＞
実施形態は、背景が白であるという前提で説明されているが、背景が色以外、例えば黒であってもよい。この場合、第１階調値は黒に相当する。
【００５７】
＜変形例５＞
実施形態は、周囲８近傍に白画素が存在することをエッジ候補の判定の条件としたが、例えば、白画素であるか否かの判定の対象は、いかなる範囲でもよい。例えば、選択された画素の上下左右の４画素でもよいし、周囲２４近傍でもよい。
【００５８】
＜変形例６＞
本発明は、元画像において文字がグレー等の中間階調である場合に適用してもよい。この場合、ディザ処理によってエッジが黒に変換される一方で、エッジで囲まれた内部の領域に中間階調の画素が残ることがあり得るが、元画像よりも文字のエッジが強調されるため、実用上の不都合は生じないと考えられる。
【００５９】
＜変形例７＞
第１階調値、第２階調値、第３階調値の少なくとも１つに関連するパラメーターを入力させ、入力されたパラメーターに基づいて第１階調値、第２階調値、第３階調値の少なくとも１つをコントローラー２０が決定するようにしてもよい。例えば、係数をユーザーが電子機器１に入力するための操作部を設け、入力された係数をコントローラー２０が第１階調値、第２階調値、第３階調値の少なくとも１つの初期値に乗じるようにする。この構成によれば、パラメーターを入力するだけで第１階調値、第２階調値、第３階調値の少なくとも１つが決定されるので、ユーザが文字や線画の太さを容易に調整することができる。
【００６０】
＜変形例８＞
処理とハードウェア要素の対応関係は実施形態で説明したものに限定されない。例えば、減色処理を行う主体はコントローラー２０ではなく、ＣＰＵ３０であってもよい。
【００６１】
＜変形例９＞
電子機器１は、電子ブックリーダーに限定されない。電子機器１は、パーソナルコンピューター、ＰＤＡ（Personal Digital Assistant）、携帯電話、スマートフォン、タブレット端末、または携帯ゲーム機であってもよい。
画素１４の等価回路は、実施形態で説明されたものに限定されない。画素電極１１４と共通電極１３１との間に制御された電圧を印加できる構成であれば、スイッチング素子および容量素子はどのように組み合わせられてもよい。また、この画素を駆動する方法は、単一のフレームにおいて、印加電圧の極性が異なる電気泳動素子１４３が存在する両極駆動、または、単一のフレームにおいてはすべての電気泳動素子１４３において同一の極性の電圧が印加される片極駆動のいずれであってもよい。
画素１４の構造は、実施形態で説明したものに限定されない。例えば、荷電粒子の極性は実施形態で説明したものに限定されない。黒の電気泳動粒子が負に帯電し、白の電気泳動粒子が正に帯電していてもよい。この場合は、画素に印加する電圧の極性は実施形態で説明したものと逆になる。また、表示素子は、マイクロカプセルを用いた電気泳動方式の表示素子に限定されない。液晶素子または有機ＥＬ（Electro Luminescence）素子など、他の表示素子が用いられてもよい。
【符号の説明】
【００６２】
１…電子機器、１０…表示部、１１…第１基板、１２…電気泳動層、１３…第２基板、１４…画素、１６…走査線駆動回路、１７…データ線駆動回路、２０…コントローラー、３０…ＣＰＵ、４０…ＶＲＡＭ、５０…ＲＡＭ、６０…記憶部、７０…入力部、１１１…基板、１１２…接着層、１１３…回路層、１１４…画素電極、１１５…走査線、１１６…データ線、１２１…マイクロカプセル、１２２…バインダー、１３１…共通電極、１３２…フィルム、１４１…トランジスター、２０１…第１記憶手段、２０２…第２記憶手段、２０３…第１抽出手段、２０４…第１変換手段、２０５…第２変換手段、８０１…第１記憶手段、８０２…第２記憶手段、８０３…第１抽出手段、８０４…第１変換手段、８０５…第２変換手段、８０６…第２抽出手段
【図１】
2013190748.tif 000003
【図２】
2013190748.tif 000004
【図３】
2013190748.tif 000005
【図４】
2013190748.tif 000006
【図５】
2013190748.tif 000007
【図６】
2013190748.tif 000008
【図７】
2013190748.tif 000009
【図８】
2013190748.tif 000010
【図９】
2013190748.tif 000011
【図１０】
2013190748.tif 000012
【図１１】
2013190748.tif 000013
【図１２】
2013190748.tif 000014
【図１３】
2013190748.tif 000015